(57)【特許請求の範囲】
【請求項１】
竪樋の筒状体の外周面から外側に突出するとともに前記筒状体の軸方向へ延在する取付リブと、
前記取付リブを嵌入可能な嵌入溝を備えて形成され、外壁に固定して設置するとともに前記嵌入溝に前記取付リブを嵌入して前記竪樋を支持固定する竪樋支持具と、
前記取付リブを嵌入可能な接続挿入溝を備えて形成され、前記取付リブを前記接続挿入溝に嵌入させて前記竪樋支持具の直上に配設される位置決めストッパーとを備え、
前記位置決めストッパーが、前記接続挿入溝となる隙間をあけて並設された一対の係止片部と、前記一対の係止片部のうち少なくとも一方の係止片部に一体形成されて前記接続挿入溝と反対側に延出する拡溝操作部とを備えて形成されていることを特徴とする竪樋の取付構造。
【発明の詳細な説明】
【技術分野】
【０００１】
本発明は、竪樋の取付構造に関する。
【背景技術】
【０００２】
住宅などには、屋根から流れ落ちる雨水を受ける軒樋と、集水器や呼び樋を介して軒樋に接続され、軒樋に集められた雨水を排水管に導くための竪樋とを備えた雨樋が設置されている。竪樋を住宅などの外壁に設置するには、竪樋を外壁に支持、固定するための竪樋支持具を外壁に固定し、この竪樋支持具に竪樋を固定している。
【０００３】
従来より、竪樋支持具としては、竪樋の外周面に巻き回すように取り付けられて竪樋を締め付け保持する環状のバンド部と、このバンド部を外壁に固定する固定部とを備えたものが多用されている。
しかし、この種の竪樋支持具は、竪樋の外周面に環状のバンド部が露出し、外観を損なう場合があるため、近年では、外観を損なうことなく竪樋を固定支持することが可能な竪樋支持具を備えた竪樋の取付構造が提案されている。
【０００４】
例えば、特許文献１に開示された竪樋の取付構造では、竪樋は、外周面から外側に突出し先端に膨出状の係止部を備えるとともに竪樋の軸方向に延在する取付リブが形成されており、住宅などの外壁に固定され、この取付リブが嵌入される嵌入溝が形成された竪樋支持具に固定されることによって住宅などの外壁に支持されている。
【０００５】
この竪樋支持具は、嵌入溝に取付リブが嵌入されることで竪樋を支持しているため、従来の竪樋支持具に設けられているバンド部が不要となり、竪樋を支持している状態において竪樋の背面側に隠れてしまうため、竪樋支持具が露出して外観を損なうことがない。
また、竪樋を住宅などの外壁に取り付けるときには、従来のバンド部を竪樋の外周に巻き回して固定する作業の代わりに、取付リブを嵌入溝に嵌入させる作業を行えばよいため、作業性がよく、効率よく竪樋を取り付けることができる。
【先行技術文献】
【特許文献】
【０００６】
【特許文献１】特開２０００−３４８１１号公報
【発明の概要】
【発明が解決しようとする課題】
【０００７】
しかしながら、上記従来の竪樋の取付構造においては、図６に示すように、エルボ継手３を介して竪樋１と呼び樋２を接続施工した後に、竪樋１が下がってエルボ継手３から外れてしまう場合があった。
【０００８】
本発明が解決しようとする課題は、施工後の納まりミスを確実且つ容易に防止できる竪樋の取付構造を提供することにある。
【課題を解決するための手段】
【０００９】
そこで、本発明は、上記課題を解決するために以下の手段を提供している。
【００１０】
請求項１記載の竪樋の取付構造は、竪樋の筒状体の外周面から外側に突出するとともに前記筒状体の軸方向へ延在する取付リブと、前記取付リブを嵌入可能な嵌入溝を備えて形成され、外壁に固定して設置するとともに前記嵌入溝に前記取付リブを嵌入して前記竪樋を支持固定する竪樋支持具と、前記取付リブを嵌入可能な接続挿入溝を備えて形成され、前記取付リブを前記接続挿入溝に嵌入させて前記竪樋支持具の直上に配設される位置決めストッパーとを備え、前記位置決めストッパーが、前記接続挿入溝となる隙間をあけて並設された一対の係止片部と、前記一対の係止片部のうち少なくとも一方の係止片部に一体形成されて前記接続挿入溝と反対側に延出する拡溝操作部とを備えて形成されていることを特徴とする。
【発明の効果】
【００１１】
請求項１記載の竪樋の取付構造においては、住宅などの外壁に固設した竪樋支持具の嵌入溝に取付リブを嵌入することによって竪樋を取り付けることができる。そして、竪樋支持具に取り付けた竪樋を、竪樋支持具に対し上下にスライド移動させて所定位置に配設した段階で、接続挿入溝の内部に取付リブを嵌入させて位置決めストッパーを竪樋支持具の直上の取付リブの所定位置に取り付ける。これにより、施工後、位置決めストッパーが竪樋支持具に当接することで、竪樋を所定位置で位置決めして保持することができる。よって、従来のように竪樋が下がってエルボ継手から外れてしまうようなことがなく、施工後の納まりミスを確実且つ容易に防止することが可能になる。
【００１２】
また、例えば、位置決めストッパーの少なくとも一方の係止片部を延出して形成された拡溝操作部に指を掛け、力を加えて押圧することにより、接続挿入溝を拡げるように位置決めストッパーを弾性変形させることができる。これにより、施工時にワンタッチで容易に位置決めストッパーを取付リブの所定位置に取り付けることが可能になる。
【図面の簡単な説明】
【００１３】
【図１】本発明の一実施形態に係る竪樋の取付構造（取付リブ、竪樋支持具、位置決めストッパー）を示す斜視図である。
【図２】本発明の一実施形態に係る竪樋の取付構造（取付リブ、竪樋支持具、位置決めストッパー）を示す側面図である。
【図３】図２のＸ１−Ｘ１線矢視図であり、本発明の一実施形態に係る竪樋の取付構造を示す断面図である。
【図４】本発明の一実施形態に係る竪樋の取付構造の位置決めストッパーを示す斜視図である。
【図５】本発明の一実施形態に係る竪樋の取付構造によって竪樋を取り付ける方法を示す図である。
【図６】従来の竪樋の取付構造を示す図である。
【発明を実施するための形態】
【００１４】
以下、図１から図５を参照し、本発明の一実施形態に係る竪樋の取付構造について説明する。
【００１５】
図１から図３に示すように、本実施形態の竪樋の取付構造Ａは、竪樋１に設けられた取付リブ４と、住宅などの外壁Ｔの設置面Ｔ１に固設される竪樋支持具５と、取付リブ４に取り付けられる位置決めストッパー６とを備えて構成されている。
【００１６】
竪樋１は、図１から図３に示すように、筒状に形成された筒状体１ｂと、該筒状体１ｂの外周面１ａから筒状体１ｂの径方向外側に突出するとともに筒状体１ｂの軸方向Ｏ１へ延在する取付リブ４とを備えて形成されている。
【００１７】
また、取付リブ４は、図１及び図３に示すように、竪樋１の外周面１ａから径方向外側に延びる軸部７と、軸部７の突出方向先端に設けられ、軸部７を中心に竪樋１の軸Ｏ１に直交する方向の両側に突出して膨出状に形成された係止部８とを備えて断面略Ｔ字状に形成されている。さらに、本実施形態では、図３に示すように、取付リブ４が内側に中空部９を備えて中空状に形成されている。また、この中空部９を備えた取付リブ４は、厚さを竪樋１の厚さと略同等にして形成されている。
【００１８】
さらに、係止部８は、竪樋１の外周面１ａ側を向く後端面が係止面８ａとされ、係止面８ａが軸部７の中心軸Ｏ２に直交する方向に延びて形成されている。また、係止部８は、その先端面８ｂが略円弧面状に形成され、本実施形態では、係止部８の側面と先端面８ｂが交差するコーナー部分を円弧面状にして形成されている。そして、このような取付リブ４は、竪樋１を押出成形（や射出成形）で製造する際に、取付リブ４の形状に応じた金型を用いることによって、竪樋１とともに一体形成されている。
【００１９】
竪樋支持具５は、ＡＥＳ、ＡＢＳ、ポリカーボネート、ポリ塩化ビニルなどの樹脂を用いて押出成形や射出成形で形成され、図１及び図３に示すように、矩形ブロック状（矩形盤状）の固定部１０と、固定部１０の両側からそれぞれ、固定部１０に直交して突設され、先端から内側に突出する係止片１１ａを有する一対の係止片部１１とを備えて断面略Ｃ字状に形成されている。これにより、竪樋支持具５は、側部の一対の係止片部１１の間に軸方向Ｏ３（上下方向）に延びる嵌入溝（挿入溝）１２を備えて形成されている。また、固定部１０には、図３に示すように、竪樋支持具５の内面から外面に貫通する貫通孔１３が形成されている。
【００２０】
さらに、図１及び図３に示すように、係止片部１１の係止片１１ａは、固定部１０側を向く面が係止面１１ｂとされ、この係止面１１ｂが軸Ｏ３に直交する方向に延び、固定部１０の内面に沿って形成されている。また、係止片部１１の係止片１１ａは、外面が係止片部１１の先端から嵌入溝１２に向かうに従い漸次竪樋支持具５の内側に向かうテーパー面１１ｃで形成されている。
【００２１】
一方、位置決めストッパー６は、ＡＥＳ、ＡＢＳ、ポリカーボネート、ポリ塩化ビニルなどの樹脂を用いて押出成形や射出成形で形成され、図４に示すように、接続部１４と、接続部１４に一体形成された拡溝操作部１５とを備えて形成されている。
【００２２】
また、接続部１４は、平板状の背面部１６と、背面部１６の両側からそれぞれ、背面部１６に直交して突設され、先端から内側に突出する係止片１７ａを有する一対の係止片部１７とを備えて断面略Ｃ字状に形成されている。これにより、位置決めストッパー６は、並設された一対の係止片部１７の間（隙間）に軸方向Ｏ４に延びる接続挿入溝１８を備えて形成されている。さらに、本実施形態において、接続部１４の内面側には、この内面から厚さ方向に凹む方形状の凹所１９が形成されている。
【００２３】
本実施形態において、拡溝操作部１５は、接続部１４の接続挿入溝１８を形成する一対の係止片部１７のうち、一方の係止片部１７に一体形成され、背面部１６から接続挿入溝１８と反対側に延出して形成されている。これにより、本実施形態の位置決めストッパー６は、断面略Ｊ字状に形成されている。なお、拡溝操作部１５は一対の係止片部１７にそれぞれ一体形成して設けられていてもよい。
【００２４】
次に、上記構成からなる本実施形態の竪樋の取付構造Ａによって竪樋１を住宅などの外壁Ｔに取付る方法について説明するとともに、本実施形態の竪樋の取付構造Ａの作用及び効果について説明する。
【００２５】
図１及び図３に示すように、竪樋１を住宅などの外壁Ｔに取り付ける際には、はじめに、竪樋支持具５を外壁Ｔの設置面Ｔ１に取り付ける。このとき、固定部１０の貫通孔１３にビス（止具）２０を挿通し、このビス２０を外壁Ｔに螺入することによって、竪樋支持具５が固定部１０を外壁Ｔの設置面Ｔ１に面接触させた状態で設置される。これにより、竪樋支持具５は、一対の係止片部１１ひいては嵌入溝１２を外側に向けた状態で外壁Ｔに固定して設置される。
【００２６】
次に、竪樋１を所定位置に配置するとともに、取付リブ４の係止部８の先端面８ｂが一対の係止片部１１のテーパー面１１ｃｂを押圧するようにして、竪樋１を竪樋支持具５の内部に向けて押し込む。このように竪樋１を押し込むと、取付リブ４の係止部８の円弧状の先端面８ｂと竪樋支持具５の係止片部１１のテーパー面１１ｃが互いに案内し合って一対の係止片部１１が外側に倒れるように弾性変形し、嵌入溝１２が拡張する。これにより、嵌入溝１２を通じて取付リブ４の係止部８が竪樋支持具５の内部に入り込む。
【００２７】
また、このとき、本実施形態では、取付リブ４の係止部８が中空状に形成されているため、その先端面８ｂを一対の係止片部１１のテーパー面１１ｃに押圧させた際、一対の係止片部１１が弾性変形するとともに、この係止部８が弾性変形する。そして、一対の係止片部１１の弾性変形量ひいては嵌入溝１２の拡張量が小さく抑えられた状態でも、取付リブ４の係止部８が弾性変形して、嵌入溝１２から竪樋支持具５の内部に挿入される。このため、一対の係止片部１１が大きく弾性変形して破損するようなことがない。
【００２８】
このように取付リブ４の係止部８が竪樋支持具５の内部に挿入されると、係止部８の係止面８ａと一対の係止片部１１の係止面１１ｂが面接触し、取付リブ４の係止部８が竪樋支持具５の一対の係止片部１１に係止される。これにより、嵌入溝１２から取付リブ４の係止部８を竪樋支持具５の内部に押し込んで嵌入させるだけで、竪樋１の竪樋支持具５への取付けが行える。
【００２９】
また、このように竪樋１を竪樋支持具５に取り付けた段階で、図１及び図５（ａ）に示すように、竪樋１を竪樋支持具５に対して軸方向Ｏ１の上下にスライド移動させ、竪樋１の上下の位置合わせを行い、竪樋１にエルボ継手３を介して呼び樋２を接続する。そして、エルボ継手３の位置、呼び樋２の角度の調整、確認を行う。
【００３０】
そして、竪樋１、エルボ継手３及び呼び樋２を所定の位置に配設した段階で、位置決めストッパー６の取り付けを行う。このとき、図５（ｂ）に示すように、位置決めストッパー６の接続部１４の内面側に形成された凹所１９に接着剤を塗布する。そして、作業者が拡溝操作部１５と他方の係止片部１７に指を掛け、力を加えて位置決めストッパー６を弾性変形させ、接続挿入溝１８を拡げる。
【００３１】
このようにして、図５（ｃ）に示すように、竪樋１の竪樋支持具５の直上の取付リブ４の係止部８を接続挿入溝１８から接続部１４の内部に押し込んで挿入するとともに、指の力を緩めて位置決めストッパー６の弾性変形を解除する。これにより、取付リブ４の係止部８に位置決めストッパー６の一対の係止片部１７が係止され、位置決めストッパー６が取付リブ４に一体に接続される。
【００３２】
また、このように取り付けた位置決めストッパー６は、凹所１９に塗布した接着剤によって取付リブ４に接着し強固に取り付けられる。そして、この位置決めストッパー６が竪樋支持具５の直上の取付リブ４の所定位置に取り付けられ、本実施形態の竪樋の取付構造Ａにおいては、施工後、位置決めストッパー６が竪樋支持具５に当接することで竪樋１が所定位置で位置決めされて保持される。
【００３３】
なお、上記のように竪樋１を所定位置に設置した状態で、竪樋１の背面側に取付リブ４と竪樋支持具５、さらに位置決めストッパー６が配設されるため、竪樋の取付構造Ａが竪樋１の背面側に隠れ、外観を損なうことがない。
【００３４】
したがって、本実施形態の竪樋の取付構造Ａにおいては、住宅などの外壁Ｔの設置面Ｔ１に固設した断面略Ｃ字状の竪樋支持具５に断面略Ｔ字状の取付リブ４を嵌め込むことによって竪樋１を取り付けることができる。そして、竪樋支持具５に取り付けた竪樋１を、竪樋支持具５に対し上下にスライド移動させて所定位置に配設した段階で、断面略Ｃ字状の接続部１４の内部に取付リブ４を嵌め込み、位置決めストッパー６を竪樋支持具５の直上の所定位置に取り付ける。
【００３５】
これにより、施工後、位置決めストッパー６が竪樋支持具５に当接することで、竪樋１を所定位置で位置決めして保持することができる。よって、従来のように竪樋１がエルボ継手３から外れてしまうことがなく、施工後の納まりミスを確実且つ容易に防止することが可能になる。
【００３６】
また、位置決めストッパー６の拡溝操作部１５に指を掛け、力を加えて押圧することにより、接続挿入溝１８を拡げるように位置決めストッパー６を弾性変形させることができる。これにより、施工時にワンタッチで容易に位置決めストッパー６を取付リブ４に取り付けることが可能になる。
【００３７】
さらに、位置決めストッパー６の接続部１４の内面側に凹所１９が設けられているため、この凹所１９に接着剤を塗布した後に位置決めストッパー６を取付リブ４に取り付けることで、確実に位置決めストッパー６を取付リブ４に一体に接続することが可能になる。よって、確実に、位置決めストッパー６が竪樋支持具５に当接することにより竪樋１を所定位置で位置決めして保持することができる。
【００３８】
また、このとき、接続部１４の内面側に設けた凹所１９に接着剤を塗布することによって、位置決めストッパー６を取付リブ４に取り付けたときに接着剤が外側に漏れ出して竪樋支持具５などに付着することを防止できる。
【００３９】
以上、本発明に係る竪樋の取付構造の一実施形態について説明したが、本発明は上記の一実施形態に限定されるものではなく、その趣旨を逸脱しない範囲で適宜変更可能である。
【符号の説明】
【００４０】
１      竪樋
１ａ    外周面
１ｂ    筒状体
２      呼び樋
３      エルボ継手
４      取付リブ
５      竪樋支持具
６      位置決めストッパー
７      軸部
８      係止部
８ａ    係止面
８ｂ    先端面
９      中空部
１０    固定部
１１    係止片部
１１ａ  係止片
１１ｂ  係止面
１１ｃ  テーパー面
１２    嵌入溝
１３    貫通孔
１４    接続部
１５    拡溝操作部
１６    背面部
１７    係止片部
１７ａ  係止片
１８    接続挿入溝
１９    凹所
２０    ビス
Ａ      竪樋の取付構造
Ｏ１    竪樋の軸
Ｏ２    軸部の中心軸
Ｏ３    竪樋支持具の軸
Ｏ４    位置決めストッパーの軸
Ｔ      外壁
Ｔ１    設置面
【図１】
0005538204.tif 000002
【図２】
0005538204.tif 000003
【図３】
0005538204.tif 000004
【図４】
0005538204.tif 000005
【図５】
0005538204.tif 000006
【図６】
0005538204.tif 000007